【手続補正書】
【提出日】平成17年2月9日(2005.2.9)
【手続補正１】
【補正対象書類名】特許請求の範囲
【補正対象項目名】全文
【補正方法】変更
【補正の内容】
【特許請求の範囲】
【請求項１】
一つ以上のセルで構成された二次電池を充放電制御し、第１の充電制御スイッチを含む第１の充電経路と、前記第１の充電経路に並列接続され前記第１の充電経路よりコンダクタンスが低く、第２の充電制御スイッチを含む第２の充電経路とを介して二次電池を充電する充放電制御回路であって、
前記セル電圧の上限値を検出して過充電状態を検出する過充電検出部と、
前記セル電圧の下限値を検出して過放電状態を検出する過放電検出部と、
前記二次電池の電圧レベルが所定値よりも低い場合には低電圧時状態を検出する低電圧時誤動作防止回路と
を有し、前記過充電状態または前記低電圧時状態では前記第１の充電制御スイッチをオフにする制御信号を出力し、前記過放電状態または前記低電圧時状態では前記第２の充電制御スイッチをオンにする制御信号を出力することを特徴とする充放電制御回路。
【請求項２】
複数のセルで構成された二次電池を充放電制御し、第１の充電制御スイッチを含む第１の充電経路と、前記第１の充電経路に並列接続され前記第１の充電経路よりコンダクタンスが低く、第２の充電制御スイッチを含む第２の充電経路とを介して二次電池を充電する充放電制御回路であって、
複数のセル電圧を入力し、該セル電圧の少なくとも一つが第１の基準電圧よりも低い場合に前記二次電池の過放電状態を検出する過放電検出部と、
複数のセル電圧を入力し、該セル電圧の少なくとも一つが第２の基準電圧よりも高い場合に前記二次電池の過充電状態を検出する過充電検出部と、
前記二次電池の電圧レベルが所定値よりも低い場合には低電圧時状態を検出する低電圧時誤動作防止回路と
を有し、前記過充電状態または前記低電圧時状態では前記第１の充電制御スイッチをオフにする制御信号を出力し、前記過放電状態または前記低電圧時状態では前記第２の充電制御スイッチをオンにする制御信号を出力することを特徴とする充放電制御回路。
【請求項３】
前記過充電検出部から出力される信号及び前記低電圧時誤動作防止回路から出力される制御信号が入力されて前記第１の充電制御スイッチを制御する信号を出力する第１の論理回路と、
前記過放電検出部から出力される信号及び前記低電圧時誤動作防止回路から出力される制御信号が入力されて前記第２の充電制御スイッチを制御する信号を出力する第２の論理回路と
をさらに有することを特徴とする請求項１または２に記載の充放電制御回路。
【請求項４】
前記第１の論理回路は、前記セルのいずれかが過充電状態のとき又は低電圧時状態のときには、前記第１の充電制御スイッチをオフにする信号を出力し、前記セルのいずれもが過充電状態に該当せずかつ低電圧時状態に該当しないときには、前記第１の充電制御スイッチをオンにする信号を出力し、
前記第２の論理回路は、前記セルのいずれも過放電状態でなくかつ低電圧時状態でないときには、前記第２の充電制御スイッチをオフにする信号を出力し、前記セルのいずれかが過放電状態又は低電圧時状態のときには、前記第２の充電制御スイッチをオンにする信号を出力することを特徴とする請求項３に記載の充放電制御回路。
【請求項５】
前記第２の充電経路には、充電電流を制限する電流制限手段が接続されていることを特徴とする請求項１〜４のうち何れか１項に記載の充放電制御回路。
【請求項６】
前記電流制限手段は、抵抗により構成されており、該抵抗の抵抗値が調節されることにより、充電時における前記抵抗での電圧降下分を定電圧充電設定電圧に比べ大きく設定されていることを特徴とする請求項５に記載の充放電制御回路。
【請求項７】
前記第２の充電制御スイッチを介して行う充電は、前記第２の充電制御スイッチのソース−ゲート間電圧をほぼ定電圧充電設定電圧とする定電圧充電としたことを特徴とする請求項６に記載の充放電制御回路。
【手続補正２】
【補正対象書類名】明細書
【補正対象項目名】００２４
【補正方法】変更
【補正の内容】
【００２４】
上記の目的を達成するために、請求項１に係る発明は、一つ以上のセルで構成された二次電池を充放電制御し、第１の充電制御スイッチを含む第１の充電経路と、前記第１の充電経路に並列接続され前記第１の充電経路よりコンダクタンスが低く、第２の充電制御スイッチを含む第２の充電経路とを介して二次電池を充電する充放電制御回路であって、前記セル電圧の上限値を検出して過充電状態を検出する過充電検出部と、前記セル電圧の下限値を検出して過放電状態を検出する過放電検出部と、前記二次電池の電圧レベルが所定値よりも低い場合には低電圧時状態を検出する低電圧時誤動作防止回路とを有し、前記過充電状態または前記低電圧時状態では前記第１の充電制御スイッチをオフにする制御信号を出力し、前記過放電状態または前記低電圧時状態では前記第２の充電制御スイッチをオンにする制御信号を出力することを要旨とする。
【手続補正３】
【補正対象書類名】明細書
【補正対象項目名】００２５
【補正方法】変更
【補正の内容】
【００２５】
また、請求項２に係る発明は、複数のセルで構成された二次電池を充放電制御し、第１の充電制御スイッチを含む第１の充電経路と、前記第１の充電経路に並列接続され前記第１の充電経路よりコンダクタンスが低く、第２の充電制御スイッチを含む第２の充電経路とを介して二次電池を充電する充放電制御回路であって、複数のセル電圧を入力し、該セル電圧の少なくとも一つが第１の基準電圧よりも低い場合に前記二次電池の過放電状態を検出する過放電検出部と、複数のセル電圧を入力し、該セル電圧の少なくとも一つが第２の基準電圧よりも高い場合に前記二次電池の過充電状態を検出する過充電検出部と、前記二次電池の電圧レベルが所定値よりも低い場合には低電圧時状態を検出する低電圧時誤動作防止回路とを有し、前記過充電状態または前記低電圧時状態では前記第１の充電制御スイッチをオフにする制御信号を出力し、前記過放電状態または前記低電圧時状態では前記第２の充電制御スイッチをオンにする制御信号を出力することを要旨とする。
【手続補正４】
【補正対象書類名】明細書
【補正対象項目名】００２６
【補正方法】変更
【補正の内容】
【００２６】
また、請求項３に係る発明は、請求項１または２に係る発明において、前記過充電検出部から出力される信号及び前記低電圧時誤動作防止回路から出力される制御信号が入力されて前記第１の充電制御スイッチを制御する信号を出力する第１の論理回路と、前記過放電検出部から出力される信号及び前記低電圧時誤動作防止回路から出力される制御信号が入力されて前記第２の充電制御スイッチを制御する信号を出力する第２の論理回路とをさらに有することを要旨とする。
【手続補正５】
【補正対象書類名】明細書
【補正対象項目名】００２７
【補正方法】変更
【補正の内容】
【００２７】
また、請求項４に係る発明は、請求項３に係る発明において、前記第１の論理回路は、前記セルのいずれかが過充電状態のとき又は低電圧時状態のときには、前記第１の充電制御スイッチをオフにする信号を出力し、前記セルのいずれもが過充電状態に該当せずかつ低電圧時状態に該当しないときには、前記第１の充電制御スイッチをオンにする信号を出力し、前記第２の論理回路は、前記セルのいずれも過放電状態でなくかつ低電圧時状態でないときには、前記第２の充電制御スイッチをオフにする信号を出力し、前記セルのいずれかが過放電状態又は低電圧時状態のときには、前記第２の充電制御スイッチをオンにする信号を出力することを要旨とする。
【手続補正６】
【補正対象書類名】明細書
【補正対象項目名】００２８
【補正方法】変更
【補正の内容】
【００２８】
また、請求項５に係る発明は、請求項１〜４のうち何れか１項に係る発明において、前記第２の充電経路には、充電電流を制限する電流制限手段が接続されていることを要旨とする。
また、請求項６に係る発明は、請求項５に係る発明において、前記電流制限手段は、抵抗により構成されており、該抵抗の抵抗値が調節されることにより、充電時における前記抵抗での電圧降下分を定電圧充電設定電圧に比べ大きく設定されていることを要旨とする。